【手続補正書】
【提出日】平成16年11月4日(2004.11.4)
【手続補正１】
【補正対象書類名】明細書
【補正対象項目名】特許請求の範囲
【補正方法】変更
【補正の内容】
【特許請求の範囲】
【請求項１】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、
前記制御装置は、
前記第１記録媒体に記録されたプログラム情報に対応する第１管理情報を取得する第１管理情報取得手段と、
前記第２記録媒体に記録されたプログラム情報に対応する第２管理情報を取得する第２管理情報取得手段と、
前記第１管理情報と前記第２管理情報とを比較し、その比較結果に基づいて、前記第１管理情報に対応するプログラム情報が前記第２記録媒体に記録されているか否かを判断する情報記録判断手段と、
前記第１管理情報に対応するプログラム情報が前記第２記録媒体に記録されていると判断された場合には、所定の記録条件を満足するか否かを判断し、前記記録条件を満足すると判断された場合には、前記第１記録媒体に記録された前記第１管理情報に対応するプログラム情報を前記第２記録媒体に記録させるべく前記再生装置および前記記録再生装置を制御する情報記録制御手段と、を備えることを特徴とする情報再生記録システム。
【請求項２】
請求項１に記載の情報再生記録システムにおいて、
前記情報記録制御手段は、前記第１記録媒体に記録された前記第１管理情報に対応するプログラム情報を前記第２記録媒体に記録させるか否かの選択をユーザに促し、その選択結果に基づいて、前記記録条件を満足するか否かを判断することを特徴とする情報再生記録システム。
【請求項３】
請求項２に記載の情報再生記録システムにおいて、
前記情報記録制御手段は、前記第１記録媒体に記録された前記第１管理情報に対応するプログラム情報と、前記第２記録媒体に記録された前記第２管理情報に対応するプログラム情報とを交互に再生させるべく前記再生装置および前記記録再生装置を制御することによって、前記第１記録媒体に記録された前記第１管理情報に対応するプログラム情報を前記第２記録媒体に記録させるか否かの選択をユーザに促すことを特徴とする情報再生記録システム。
【請求項４】
請求項１に記載の情報再生記録システムにおいて、
前記情報記録制御手段は、前記第１記録媒体に記録された前記第１管理情報に対応するプログラム情報と、前記第２記録媒体に記録された前記第２管理情報に対応するプログラム情報とを再生させるべく前記再生装置および前記記録再生装置を制御し、前記第１管理情報に対応するプログラム情報と、前記第２管理情報に対応するプログラム情報とのデータ比較を行い、その比較結果に基づいて、前記記録条件を満足するか否かを判断することを特徴とする情報再生記録システム。
【請求項５】
請求項１乃至４の何れか一項に記載の情報再生記録システムにおいて、
前記制御装置は、前記第１記録媒体に記録されたプログラム情報の数を計数する情報計数手段をさらに備え、
前記情報記録制御手段は、前記計数されたプログラム情報の数が１以上所定数以下の場合にのみ、前記所定の記録条件を満足するか否かを判断し、前記記録条件を満足すると判断された場合には、前記第１記録媒体に記録された前記第１管理情報に対応するプログラム情報を前記第２記録媒体に記録させるべく前記再生装置および前記記録再生装置を制御することを特徴とする情報再生記録システム。
【請求項６】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、
前記制御装置は、
前記第１記録媒体に記録されたプログラム情報に対応する第１管理情報を取得する第１管理情報取得手段と、
前記第２記録媒体に記録されたプログラム情報に対応する第２管理情報を取得する第２管理情報取得手段と、
前記第１管理情報と前記第２管理情報とを比較し、その比較結果に基づいて、前記第１管理情報に対応するプログラム情報が前記第２記録媒体に記録されているか否かを判断する情報記録判断手段と、
前記第１管理情報に対応するプログラム情報が前記第２記録媒体に記録されていると判断された場合には、前記第２記録媒体に記録された当該プログラム情報を消去し、前記第１記録媒体に記録された前記第１管理情報に対応するプログラム情報を前記第２記録媒体に記録させるべく前記再生装置および前記記録再生装置を制御する情報記録制御手段と、を備えることを特徴とする情報再生記録システム。
【請求項７】
請求項６に記載の情報再生記録システムにおいて、
前記情報記録制御手段は、前記第２記録媒体に記録された前記プログラム情報を消去するか否かの選択をユーザに促し、その選択結果に基づいて、前記第２記録媒体に記録された当該プログラム情報を消去し、前記第１記録媒体に記録された前記第１管理情報に対応するプログラム情報を前記第２記録媒体に記録させるべく前記再生装置および前記記録再生装置を制御することを特徴とする情報再生記録システム。
【請求項８】
請求項７に記載の情報再生記録システムにおいて、
前記情報記録制御手段は、前記第１記録媒体に記録された前記第１管理情報に対応するプログラム情報と、前記第２記録媒体に記録された前記第２管理情報に対応するプログラム情報とを交互に再生させるべく前記再生装置および前記記録再生装置を制御することによって、前記前記第２記録媒体に記録された前記プログラム情報を消去するか否かの選択をユーザに促すことを特徴とする情報再生記録システム。
【請求項９】
請求項７または８に記載の情報再生記録システムにおいて、
前記制御装置は、前記第１記録媒体に記録されたプログラム情報の数を計数する情報計数手段をさらに備え、
前記情報記録制御手段は、前記計数されたプログラム情報の数が１以上所定数以下の場合にのみ、前記第２記録媒体に記録された前記プログラム情報を消去するか否かの選択をユーザに促すことを特徴とする情報再生記録システム。
【請求項１０】
請求項６に記載の情報再生記録システムにおいて、
前記情報記録制御手段は、前記第１記録媒体に記録された前記第１管理情報に対応するプログラム情報と、前記第２記録媒体に記録された前記第２管理情報に対応するプログラム情報とを再生させるべく前記再生装置および前記記録再生装置を制御し、前記第１管理情報に対応するプログラム情報と、前記第２管理情報に対応するプログラム情報とのデータ比較を行い、その比較結果に基づいて、前記前記第２記録媒体に記録された当該プログラム情報を消去し、前記第１記録媒体に記録された前記第１管理情報に対応するプログラム情報を前記第２記録媒体に記録させるべく前記再生装置および前記記録再生装置を制御することを特徴とする情報再生記録システム。
【請求項１１】
請求項１０に記載の情報再生記録システムにおいて、
前記制御装置は、前記第１記録媒体に記録されたプログラム情報の数を計数する情報計数手段をさらに備え、
前記情報記録制御手段は、前記計数されたプログラム情報の数が１以上所定数以下の場合にのみ、前記第１管理情報に対応するプログラム情報と、前記第２管理情報に対応するプログラム情報とのデータ比較を行うことを特徴とする情報再生記録システム。
【請求項１２】
請求項６乃至１１の何れか一項に記載の情報再生記録システムにおいて、
前記情報記録制御手段は、前記第２記録媒体に記録された前記プログラム情報を、前記第１記録媒体に記録された前記第１管理情報に対応するプログラム情報に置き換えるように制御することを特徴とする情報再生記録システム。
【請求項１３】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、
前記制御装置は、
前記第１記録媒体に記録されたプログラム情報に対応する第１管理情報を取得する第１管理情報取得手段と、
複数のプログラム情報毎に、当該プログラム情報に対応する管理情報と当該プログラム情報に対応する識別情報とが関連付けられて登録された情報データベースを参照し、前記取得された前記第１管理情報に関連付けられたプログラム情報に対応する識別情報を取得する識別情報取得手段と、
前記第１記録媒体に記録されたプログラム情報の数を計数する情報計数手段と、
前記識別情報が複数取得され、かつ、前記計数されたプログラム情報の数が１以上所定数以下の場合には、前記取得された複数の前記識別情報のうちから１つの識別情報の選択をユーザに促し、当該ユーザにより選択された１つの識別情報を決定する第１識別情報決定手段と、
前記プログラム情報を前記第１記録媒体から前記第２記録媒体に記録すべく前記再生装置および前記記録再生装置を制御する際に、前記第１識別情報決定手段により決定された１つの識別情報を、前記第２記録媒体に記録されるべき当該プログラム情報に対応付けて記憶する識別情報記憶手段と、を備えることを特徴とする情報再生記録システム。
【請求項１４】
請求項１３に記載の情報再生記録システムにおいて、
前記識別情報が複数取得され、かつ、前記計数されたプログラム情報の数が前記所定数より大きい場合には、前記取得された複数の前記識別情報のうちから最も確率の高い１つの識別情報を決定する第２識別情報決定手段をさらに備え、
前記識別情報記憶手段は、前記第１識別情報決定手段または第２識別情報決定手段により決定された１つの識別情報を、前記第２記録媒体に記録されるべき当該プログラム情報に対応付けて記憶することを特徴とする情報再生記録システム。
【請求項１５】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、
前記制御装置は、
前記第１記録媒体に記録されたプログラム情報に対応する第１管理情報を取得する第１管理情報取得手段と、
前記プログラム情報に対応するテキスト情報を前記第１記録媒体から取得可能か否かを判断し、取得可能である場合には、当該テキスト情報を取得するテキスト情報取得手段と、
複数のプログラム情報毎に、当該プログラム情報に対応する管理情報と当該プログラム情報に対応する識別情報とが関連付けられて登録された識別情報データベースを参照し、前記取得された前記第１管理情報に関連付けられたプログラム情報に対応する識別情報を取得する識別情報取得手段と、
前記識別情報が複数取得され、かつ、前記テキスト情報が取得された場合には、前記取得された前記識別情報のうち何れか１つの識別情報が前記取得された前記テキスト情報に含まれているか否かを判断する識別情報有無判断手段と、
前記何れか１つの識別情報が前記取得された前記テキスト情報に含まれている場合には、当該１つの識別情報を決定する第３識別情報決定手段と、
前記プログラム情報を前記第１記録媒体から前記第２記録媒体に記録すべく前記再生装置および前記記録再生装置を制御する際に、前記第３識別情報決定手段により決定された１つの識別情報を、前記第２記録媒体に記録されるべき当該プログラム情報に対応付けて記憶する識別情報記憶手段と、を備えることを特徴とする情報再生記録システム。
【請求項１６】
請求項１５に記載の情報再生記録システムにおいて、
前記何れか１つの識別情報が前記取得された前記テキスト情報に含まれていない場合、または、前記テキスト情報が取得可能でない場合には、前記取得された複数の前記識別情報のうちから１つの識別情報の選択をユーザに促し、当該ユーザにより選択された１つの識別情報を決定する第４識別情報決定手段をさらに備え、
前記識別情報記憶手段は、前記第３識別情報決定手段または第４識別情報決定手段により決定された１つの識別情報を、前記第２記録媒体に記録されるべき当該プログラム情報に対応付けて記憶することを特徴とする情報再生記録システム。
【請求項１７】
請求項１５に記載の情報再生記録システムにおいて、
前記制御装置は、前記第１記録媒体に記録されたプログラム情報の数を計数する情報計数手段をさらに備え、
前記識別情報有無判断手段は、前記計数されたプログラム情報の数が１以上所定数以下の場合にのみ、前記取得された前記識別情報のうち何れか１つの識別情報が前記取得された前記テキスト情報に含まれているか否かを判断することを特徴とする情報再生記録システム。
【請求項１８】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、
前記制御装置は、
前記第１記録媒体に記録されたプログラム情報に対応する第１管理情報を取得する第１管理情報取得手段と、
複数のプログラム情報毎に、当該プログラム情報に対応する管理情報と当該プログラム情報に対応する識別情報とが関連付けられて登録された識別情報データベースを参照し、前記取得された前記管理情報に関連付けられたプログラム情報に対応する識別情報を取得する識別情報取得手段と、
前記識別情報が複数取得された場合には、ユーザにより予め入力されたプログラム情報に対応する識別情報が登録されたユーザ入力情報データベースを参照し、前記取得された前記識別情報のうち何れか１つの識別情報が前記ユーザ入力情報データベースに登録されているか否かを判断するユーザ登録判断手段と、
前記何れか１つの識別情報が前記ユーザ入力情報データベースに登録されている場合には、当該１つの識別情報を決定する第５識別情報決定手段と、
前記プログラム情報を前記第１記録媒体から前記第２記録媒体に記録すべく前記再生装置および前記記録再生装置を制御する際に、前記第５識別情報決定手段により決定された１つの識別情報を、前記第２記録媒体に記録されるべき当該プログラム情報に対応付けて記憶する識別情報記憶手段と、を備えることを特徴とする情報再生記録システム。
【請求項１９】
請求項１８に記載の情報再生記録システムにおいて、
前記何れか１つの識別情報が前記ユーザ入力情報データベースに登録されていない場合には、前記取得された複数の前記識別情報のうちから１つの識別情報の選択をユーザに促し、当該ユーザにより選択された１つの識別情報を決定する第６識別情報決定手段をさらに備え、
前記識別情報記憶手段は、前記第５識別情報決定手段または前記第６識別情報決定手段により決定された１つの識別情報を、前記第２記録媒体に記録されるべき当該プログラム情報に対応付けて記憶することを特徴とする情報再生記録システム。
【請求項２０】
請求項１８に記載の情報再生記録システムにおいて、
前記制御装置は、前記第１記録媒体に記録されたプログラム情報の数を計数する情報計数手段をさらに備え、
前記ユーザ登録判断手段は、前記計数されたプログラム情報の数が１以上所定数以下の場合にのみ、前記取得された前記識別情報のうち何れか１つの識別情報が前記ユーザ入力情報データベースに登録されているか否かを判断することを特徴とする情報再生記録システム。
【請求項２１】
第１記録媒体に記録されたプログラム情報に対応する第１管理情報を取得する第１管理情報取得工程と、
第２記録媒体に記録されたプログラム情報に対応する第２管理情報を取得する第２管理情報取得工程と、
前記第１管理情報と前記第２管理情報とを比較し、その比較結果に基づいて、前記第１管理情報に対応するプログラム情報が前記第２記録媒体に記録されているか否かを判断する情報記録判断工程と、
前記第１管理情報に対応するプログラム情報が前記第２記録媒体に記録されていると判断された場合には、所定の記録条件を満足するか否かを判断し、前記記録条件を満足すると判断された場合には、前記第１記録媒体に記録された前記第１管理情報に対応するプログラム情報を前記第２記録媒体に記録する情報記録制御工程と、を備えることを特徴とする
情報再生記録方法。
【請求項２２】
請求項２１に記載の情報再生記録方法において、
前記情報記録制御工程は、前記第１記録媒体に記録された前記第１管理情報に対応するプログラム情報を前記第２記録媒体に記録させるか否かの選択をユーザに促し、その選択結果に基づいて、前記記録条件を満足するか否かを判断することを特徴とする情報再生記録
方法。
【請求項２３】
第１記録媒体に記録されたプログラム情報に対応する第１管理情報を取得する第１管理情報取得工程と、
第２記録媒体に記録されたプログラム情報に対応する第２管理情報を取得する第２管理情報取得工程と、
前記第１管理情報と前記第２管理情報とを比較し、その比較結果に基づいて、前記第１管理情報に対応するプログラム情報が前記第２記録媒体に記録されているか否かを判断する情報記録判断工程と、
前記第１管理情報に対応するプログラム情報が前記第２記録媒体に記録されていると判断された場合には、前記第２記録媒体に記録された当該プログラム情報を消去し、前記第１記録媒体に記録された前記第１管理情報に対応するプログラム情報を前記第２記録媒体に記録する情報記録制御工程と、を備えることを特徴とする情報再生記録方法。
【請求項２４】
請求項２３に記載の情報再生記録方法において、
前記情報記録制御工程は、前記第２記録媒体に記録された前記プログラム情報を消去するか否かの選択をユーザに促し、その選択結果に基づいて、前記前記第２記録媒体に記録された当該プログラム情報を消去し、前記第１記録媒体に記録された前記第１管理情報に対応するプログラム情報を前記第２記録媒体に記録する情報再生記録方法。
【請求項２５】
第１記録媒体に記録されたプログラム情報に対応する第１管理情報を取得する第１管理情報取得工程と、
複数のプログラム情報毎に、当該プログラム情報に対応する管理情報と当該プログラム情報に対応する識別情報とが関連付けられて登録された情報データベースを参照し、前記取得された前記第１管理情報に関連付けられたプログラム情報に対応する識別情報を取得する識別情報取得工程と、
前記第１記録媒体に記録されたプログラム情報の数を計数する情報計数工程と、
前記識別情報が複数取得され、かつ、前記計数されたプログラム情報の数が１以上所定数以下の場合には、前記取得された複数の前記識別情報のうちから１つの識別情報の選択をユーザに促し、当該ユーザにより選択された１つの識別情報を決定する第１識別情報決定工程と、
前記プログラム情報が前記第１記録媒体から前記第２記録媒体に記録される際に、前記第１識別情報決定工程により決定された１つの識別情報を、前記第２記録媒体に記録されるべき当該プログラム情報に対応付けて記憶する識別情報記憶工程と、を備えることを特徴とする情報再生記録方法。
【請求項２６】
請求項２５に記載の情報再生記録方法において、
前記識別情報が複数取得され、かつ、前記計数されたプログラム情報の数が前記所定数より大きい場合には、前記取得された複数の前記識別情報のうちから最も確率の高い１つの識別情報を決定する第２識別情報決定工程をさらに備え、
前記識別情報記憶工程は、前記第１識別情報決定工程または第２識別情報決定工程により決定された１つの識別情報を、前記第２記録媒体に記録されるべき当該プログラム情報に対応付けて記憶することを特徴とする情報再生記録方法。
【請求項２７】
第１記録媒体に記録されたプログラム情報に対応する第１管理情報を取得する第１管理情報取得工程と、
前記プログラム情報に対応するテキスト情報を前記第１記録媒体から取得可能か否かを判断し、取得可能である場合には、当該テキスト情報を取得するテキスト情報取得工程と、
複数のプログラム情報毎に、当該プログラム情報に対応する管理情報と当該プログラム情報に対応する識別情報とが関連付けられて登録された識別情報データベースを参照し、前記取得された前記第１管理情報に関連付けられたプログラム情報に対応する識別情報を取得する識別情報取得工程と、
前記識別情報が複数取得され、かつ、前記テキスト情報が取得された場合には、前記取得された前記識別情報のうち何れか１つの識別情報が前記取得された前記テキスト情報に含まれているか否かを判断する識別情報有無判断工程と、
前記何れか１つの識別情報が前記取得された前記テキスト情報に含まれている場合には、当該１つの識別情報を決定する第３識別情報決定工程と、
前記プログラム情報が前記第１記録媒体から前記第２記録媒体に記録される際に、前記第３識別情報決定工程により決定された１つの識別情報を、前記第２記録媒体に記録されるべき当該プログラム情報に対応付けて記憶する識別情報記憶工程と、を備えることを特徴とする情報再生記録方法。
【請求項２８】
請求項２７に記載の情報再生記録方法において、
前記何れか１つの識別情報が前記取得された前記テキスト情報に含まれていない場合、または、前記テキスト情報が取得可能でない場合には、前記取得された複数の前記識別情報のうちから１つの識別情報の選択をユーザに促し、当該ユーザにより選択された１つの識別情報を決定する第４識別情報決定工程をさらに備え、
前記識別情報記憶工程は、前記第３識別情報決定工程または第４識別情報決定工程により決定された１つの識別情報を、前記第２記録媒体に記録されるべき当該プログラム情報に対応付けて記憶することを特徴とする情報再生記録方法。
【請求項２９】
第１記録媒体に記録されたプログラム情報に対応する第１管理情報を取得する第１管理情報取得工程と、
複数のプログラム情報毎に、当該プログラム情報に対応する管理情報と当該プログラム情報に対応する識別情報とが関連付けられて登録された識別情報データベースを参照し、前記取得された前記管理情報に関連付けられたプログラム情報に対応する識別情報を取得する識別情報取得工程と、
前記識別情報が複数取得された場合には、ユーザにより予め入力されたプログラム情報に対応する識別情報が登録されたユーザ入力情報データベースを参照し、前記取得された前記識別情報のうち何れか１つの識別情報が前記ユーザ入力情報データベースに登録されているか否かを判断するユーザ登録判断工程と、
前記何れか１つの識別情報が前記ユーザ入力情報データベースに登録されている場合には、当該１つの識別情報を決定する第５識別情報決定工程と、
前記プログラム情報が前記第１記録媒体から前記第２記録媒体に記録される際に、前記第５識別情報決定工程により決定された１つの識別情報を、前記第２記録媒体に記録されるべき当該プログラム情報に対応付けて記憶する識別情報記憶工程と、を備えることを特徴とする情報再生記録方法。
【請求項３０】
請求項２９に記載の情報再生記録方法において、
前記何れか１つの識別情報が前記ユーザ入力情報データベースに登録されていない場合には、前記取得された複数の前記識別情報のうちから１つの識別情報の選択をユーザに促し、当該ユーザにより選択された１つの識別情報を決定する第６識別情報決定工程をさらに備え、
前記識別情報記憶工程は、前記第５識別情報決定工程または第６識別情報決定工程により決定された１つの識別情報を、前記第２記録媒体に記録されるべき当該プログラム情報に対応付けて記憶することを特徴とする情報再生記録方法。
【請求項３１】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおける前記制御装置に含まれるコンピュータを、
前記第１記録媒体に記録されたプログラム情報に対応する第１管理情報を取得する第１管理情報取得手段、
前記第２記録媒体に記録されたプログラム情報に対応する第２管理情報を取得する第２管理情報取得手段、
前記第１管理情報と前記第２管理情報とを比較し、その比較結果に基づいて、前記第１管理情報に対応するプログラム情報が前記第２記録媒体に記録されているか否かを判断する情報記録判断手段、
前記第１管理情報に対応するプログラム情報が前記第２記録媒体に記録されていると判断された場合には、所定の記録条件を満足するか否かを判断し、前記記録条件を満足すると判断された場合には、前記第１記録媒体に記録された前記第１管理情報に対応するプログラム情報を前記第２記録媒体に記録させるべく前記再生装置および前記記録再生装置を制御する情報記録制御手段、として機能させることを特徴とする情報再生記録処理プログラム。
【請求項３２】
請求項３１に記載の情報再生記録処理プログラムにおいて、
前記情報記録制御手段は、前記第１記録媒体に記録された前記第１管理情報に対応するプログラム情報を前記第２記録媒体に記録させるか否かの選択をユーザに促し、その選択結果に基づいて、前記記録条件を満足するか否か判断することを特徴とする情報再生記録処理プログラム。
【請求項３３】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおける前記制御装置に含まれるコンピュータを、
前記第１記録媒体に記録されたプログラム情報に対応する第１管理情報を取得する第１管理情報取得手段、
前記第２記録媒体に記録されたプログラム情報に対応する第２管理情報を取得する第２管理情報取得手段、
前記第１管理情報と前記第２管理情報とを比較し、その比較結果に基づいて、前記第１管理情報に対応するプログラム情報が前記第２記録媒体に記録されているか否かを判断する情報記録判断手段、
前記第１管理情報に対応するプログラム情報が前記第２記録媒体に記録されていると判断された場合には、前記第２記録媒体に記録された当該プログラム情報を消去し、前記第１記録媒体に記録された前記第１管理情報に対応するプログラム情報を前記第２記録媒体に記録させるべく前記再生装置および前記記録再生装置を制御する情報記録制御手段、として機能させることを特徴とする情報再生記録処理プログラム。
【請求項３４】
請求項３３に記載の情報再生記録処理プログラムにおいて、
前記情報記録制御手段は、前記第２記録媒体に記録された前記プログラム情報を消去するか否かの選択をユーザに促し、その選択結果に基づいて、前記前記第２記録媒体に記録された当該プログラム情報を消去し、前記第１記録媒体に記録された前記第１管理情報に対応するプログラム情報を前記第２記録媒体に記録させるべく前記再生装置および前記記録再生装置を制御することを特徴とする情報再生記録処理プログラム。
【請求項３５】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおける前記制御装置に含まれるコンピュータを、
前記第１記録媒体に記録されたプログラム情報に対応する第１管理情報を取得する第１管理情報取得手段、
複数のプログラム情報毎に、当該プログラム情報に対応する管理情報と当該プログラム情報に対応する識別情報とが関連付けられて登録された情報データベースを参照し、前記取得された前記第１管理情報に関連付けられたプログラム情報に対応する識別情報を取得する識別情報取得手段、
前記第１記録媒体に記録されたプログラム情報の数を計数する情報計数手段、  前記識別情報が複数取得され、かつ、前記計数されたプログラム情報の数が１以上所定数以下の場合には、前記取得された複数の前記識別情報のうちから１つの識別情報の選択をユーザに促し、当該ユーザにより選択された１つの識別情報を決定する第１識別情報決定手段、
前記プログラム情報を前記第１記録媒体から前記第２記録媒体に記録すべく前記再生装置および前記記録再生装置を制御する際に、前記第１識別情報決定手段により決定された１つの識別情報を、前記第２記録媒体に記録されるべき当該プログラム情報に対応付けて記憶する識別情報記憶手段、として機能させることを特徴とする情報再生記録処理プログラム。
【請求項３６】
請求項３５に記載の情報再生記録処理プログラムにおいて、
前記コンピュータを、前記識別情報が複数取得され、かつ、前記計数されたプログラム情報の数が前記所定数より大きい場合には、前記取得された複数の前記識別情報のうちから最も確率の高い１つの識別情報を決定する第２識別情報決定手段としてさらに機能させ、
前記識別情報記憶手段は、前記第１識別情報決定手段または第２識別情報決定手段により決定された１つの識別情報を、前記第２記録媒体に記録されるべき当該プログラム情報に対応付けて記憶することを特徴とする情報再生記録処理プログラム。
【請求項３７】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおける前記制御装置に含まれるコンピュータを、
前記第１記録媒体に記録されたプログラム情報に対応する第１管理情報を取得する第１管理情報取得手段、
前記プログラム情報に対応するテキスト情報を前記第１記録媒体から取得可能か否かを判断し、取得可能である場合には、当該テキスト情報を取得するテキスト情報取得手段、
複数のプログラム情報毎に、当該プログラム情報に対応する管理情報と当該プログラム情報に対応する識別情報とが関連付けられて登録された識別情報データベースを参照し、前記取得された前記第１管理情報に関連付けられたプログラム情報に対応する識別情報を取得する識別情報取得手段、
前記識別情報が複数取得され、かつ、前記テキスト情報が取得された場合には、前記取得された前記識別情報のうち何れか１つの識別情報が前記取得された前記テキスト情報に含まれているか否かを判断する識別情報有無判断手段、
前記何れか１つの識別情報が前記取得された前記テキスト情報に含まれている場合には、当該１つの識別情報を決定する第３識別情報決定手段、
前記プログラム情報を前記第１記録媒体から前記第２記録媒体に記録すべく前記再生装置および前記記録再生装置を制御する際に、前記第３識別情報決定手段により決定された１つの識別情報を、前記第２記録媒体に記録されるべき当該プログラム情報に対応付けて記憶する識別情報記憶手段、として機能させることを特徴とする情報再生記録処理プログラム。
【請求項３８】
請求項３７に記載の情報再生記録処理プログラムにおいて、
前記コンピュータを、前記何れか１つの識別情報が前記取得された前記テキスト情報に含まれていない場合、または、前記テキスト情報が取得可能でない場合には、前記取得された複数の前記識別情報のうちから１つの識別情報の選択をユーザに促し、当該ユーザにより選択された１つの識別情報を決定する第４識別情報決定手段としてさらに機能させ、
前記識別情報記憶手段は、前記第３識別情報決定手段または第４識別情報決定手段により決定された１つの識別情報を、前記第２記録媒体に記録されるべき当該プログラム情報に対応付けて記憶することを特徴とする情報再生記録処理プログラム。
【請求項３９】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおける前記制御装置に含まれるコンピュータを、
前記第１記録媒体に記録されたプログラム情報に対応する第１管理情報を取得する第１管理情報取得手段、
複数のプログラム情報毎に、当該プログラム情報に対応する管理情報と当該プログラム情報に対応する識別情報とが関連付けられて登録された識別情報データベースを参照し、前記取得された前記管理情報に関連付けられたプログラム情報に対応する識別情報を取得する識別情報取得手段、
前記識別情報が複数取得された場合には、ユーザにより予め入力されたプログラム情報に対応する識別情報が登録されたユーザ入力情報データベースを参照し、前記取得された前記識別情報のうち何れか１つの識別情報が前記ユーザ入力情報データベースに登録されているか否かを判断するユーザ登録判断手段、
前記何れか１つの識別情報が前記ユーザ入力情報データベースに登録されている場合には、当該１つの識別情報を決定する第５識別情報決定手段、
前記プログラム情報を前記第１記録媒体から前記第２記録媒体に記録すべく前記再生装置および前記記録再生装置を制御する際に、前記第５識別情報決定手段により決定された１つの識別情報を、前記第２記録媒体に記録されるべき当該プログラム情報に対応付けて記憶する識別情報記憶手段、として機能させることを特徴とする情報再生記録処理プログラム。
【請求項４０】
請求項３９に記載の情報再生記録処理プログラムにおいて、
前記コンピュータを、前記何れか１つの識別情報が前記ユーザ入力情報データベースに登録されていない場合には、前記取得された複数の前記識別情報のうちから１つの識別情報の選択をユーザに促し、当該ユーザにより選択された１つの識別情報を決定する第６識別情報決定手段としてさらに機能させ、
前記識別情報記憶手段は、前記第５識別情報決定手段または第６識別情報決定手段により決定された１つの識別情報を、前記第２記録媒体に記録されるべき当該プログラム情報に対応付けて記憶することを特徴とする情報再生記録処理プログラム。
【請求項４１】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、
前記制御装置は、
前記第１記録媒体に記録されたプログラム情報に対応する第１管理情報を取得する第１管理情報取得手段と、
前記第２記録媒体に記録されたプログラム情報に対応する第２管理情報を取得する第２管理情報取得手段と、
前記第１管理情報と前記第２管理情報を比較する管理情報比較手段と、
前記管理情報比較手段による比較結果が、前記第１管理情報と前記第２管理情報が一致するものである場合には、所定の記録条件を満足するか否かを判断し、前記記録条件を満足すると判断された場合には、前記第１記録媒体に記録された前記第１管理情報に対応するプログラム情報を前記第２記録媒体に記録させるべく前記再生装置および前記記録再生装置を制御する情報記録制御手段と、を備えることを特徴とする情報再生記録システム。
【請求項４２】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、
前記制御装置は、
前記第１記録媒体に記録されたプログラム情報に対応する第１管理情報を取得する第１管理情報取得手段と、
前記第２記録媒体に記録されたプログラム情報に対応する第２管理情報を取得する第２管理情報取得手段と、
前記第１管理情報と前記第２管理情報を比較する管理情報比較手段と、
前記管理情報比較手段による比較結果が、前記第１管理情報と前記第２管理情報が一致するものである場合には、前記第２記録媒体に記録された当該プログラム情報を消去し、前記第１記録媒体に記録された前記第１管理情報に対応するプログラム情報を前記第２記録媒体に記録させるべく前記再生装置および前記記録再生装置を制御する情報記録制御手段と、を備えることを特徴とする情報再生記録システム。
【手続補正２】
【補正対象書類名】明細書
【補正対象項目名】００７７
【補正方法】変更
【補正の内容】
【００７７】
請求項４０に記載の発明は、請求項３９に記載の情報再生記録処理プログラムにおいて、前記コンピュータを、前記何れか１つの識別情報が前記ユーザ入力情報データベースに登録されていない場合には、前記取得された複数の前記識別情報のうちから１つの識別情報の選択をユーザに促し、当該ユーザにより選択された１つの識別情報を決定する第６識別情報決定手段としてさらに機能させ、前記識別情報記憶手段は、前記第５識別情報決定手段または第６識別情報決定手段により決定された１つの識別情報を、前記第２記録媒体に記録させるべき当該プログラム情報に対応付けて記憶するように構成する。
また、請求項４１に記載の発明は、第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、前記制御装置は、前記第１記録媒体に記録されたプログラム情報に対応する第１管理情報を取得する第１管理情報取得手段と、前記第２記録媒体に記録されたプログラム情報に対応する第２管理情報を取得する第２管理情報取得手段と、前記第１管理情報と前記第２管理情報を比較する管理情報比較手段と、前記管理情報比較手段による比較結果が、前記第１管理情報と前記第２管理情報が一致するものである場合には、所定の記録条件を満足するか否かを判断し、前記記録条件を満足すると判断された場合には、前記第１記録媒体に記録された前記第１管理情報に対応するプログラム情報を前記第２記録媒体に記録させるべく前記再生装置および前記記録再生装置を制御する情報記録制御手段と、を備えるように構成する。
また、請求項４２に記載の発明は、第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、前記制御装置は、前記第１記録媒体に記録されたプログラム情報に対応する第１管理情報を取得する第１管理情報取得手段と、前記第２記録媒体に記録されたプログラム情報に対応する第２管理情報を取得する第２管理情報取得手段と、前記第１管理情報と前記第２管理情報を比較する管理情報比較手段と、前記管理情報比較手段による比較結果が、前記第１管理情報と前記第２管理情報が一致するものである場合には、前記第２記録媒体に記録された当該プログラム情報を消去し、前記第１記録媒体に記録された前記第１管理情報に対応するプログラム情報を前記第２記録媒体に記録させるべく前記再生装置および前記記録再生装置を制御する情報記録制御手段と、を備えるように構成する。